(57)【特許請求の範囲】
【請求項１】
（ａ）支持部材と、
（ｂ）該支持部材によって揺動自在に支持され、頭部を載置するための頭部載置部、及び該頭部載置部に取り付けられた第１、第２の揺動腕を備えた揺動部材とを有するとともに、
（ｃ）該揺動部材は、頭部載置部に載置された頭部の耳孔部の位置と、揺動部材の揺動中心の位置とを一致させるための調整部を備えることを特徴とする頸部トレーニング装置。
【請求項２】
前記調整部は、第１、第２の揺動腕の長さ方向に延びる中心線に対して、頭部載置部に頭部を載置したときの肩が位置する側に偏心させて形成される請求項１に記載の頸部トレーニング装置。
【請求項３】
前記調整部は、第１、第２の揺動腕の長さ方向に並べて形成された複数の穴である請求項２に記載の頸部トレーニング装置。
【請求項４】
前記頭部載置部における、頭部載置部に頭部を載置したときの肩が位置する側が高くなるように、揺動部材を付勢する付勢部材を有する請求項１に記載の頸部トレーニング装置。
【発明の詳細な説明】
【技術分野】
【０００１】
本発明は、頸部トレーニング装置に関するものである。
【背景技術】
【０００２】
従来、脊椎（せきつい）は全身の神経が通る最も重要な経路であり、脊椎が不安定になると、神経症状が発生する原因になり、これにより、腰痛、下肢の痺れ等が発生するとされている。そこで、脊椎における可動性が高い部位である腰椎を安定させるために、各種のトレーニング装置が提供されている。
【０００３】
ところで、頸椎は、脊椎において、腰椎と同様に可動性の高い部位であり、頸椎の周囲、すなわち、頸部が機能的に深部筋の働きによって支持されるようになっている。したがって、頸部の深部筋が弱体化すると、頸椎が不安定になり、頭痛、肩こり等の各種の症状が発生してしまう。そこで、頸部の筋肉を強化するためのトレーニング装置が提供されている（例えば、特許文献１参照。）。
【特許文献１】特開平１１−３４７１４９号公報
【発明の開示】
【発明が解決しようとする課題】
【０００４】
しかしながら、前記従来のトレーニング装置においては、頸部の表面の筋肉を強化することができても、頸部の深部筋を強化することができない。
【０００５】
本発明は、前記従来のトレーニング装置の問題点を解決して、頸部の深部筋を強化することができる頸部トレーニング装置を提供することを目的とする。
【課題を解決するための手段】
【０００６】
そのために、本発明の頸部トレーニング装置においては、支持部材と、該支持部材によって揺動自在に支持され、頭部を載置するための頭部載置部、及び該頭部載置部に取り付けられた第１、第２の揺動腕を備えた揺動部材とを有する。
【０００７】
そして、該揺動部材は、頭部載置部に載置された頭部の耳孔部の位置と、揺動部材の揺動中心の位置とを一致させるための調整部を備える。
【発明の効果】
【０００８】
本発明によれば、頸部トレーニング装置においては、支持部材と、該支持部材によって揺動自在に支持され、頭部を載置するための頭部載置部、及び該頭部載置部に取り付けられた第１、第２の揺動腕を備えた揺動部材とを有する。
【０００９】
そして、該揺動部材は、頭部載置部に載置された頭部の耳孔部の位置と、揺動部材の揺動中心の位置とを一致させるための調整部を備える。
【００１０】
この場合、前記揺動部材は、頭部載置部に載置された頭部の耳孔部の位置と、揺動部材の揺動中心の位置とを一致させるための調整部を備えるので、使用者が頭部載置部に頭部を載置して所定の周期で繰り返し顎を引くと、使用者の頭部が、耳孔部を揺動中心として揺動させられ、振り子運動が行われる。このときの、頭部の動きが上部頸椎による頷（うなず）き運動と同様の動きになるので、頸部の深部筋を強化することができる。
【発明を実施するための最良の形態】
【００１１】
以下、本発明の実施の形態について図面を参照しながら詳細に説明する。
【００１２】
図１は本発明の実施の形態における頸部トレーニング装置の側面図、図２は本発明の実施の形態における頸部トレーニング装置の正面図、図３は本発明の実施の形態における頸部トレーニング装置の第１の斜視図、図４は本発明の実施の形態における頸部トレーニング装置の第２の斜視図である。
【００１３】
図において、１１は支持部材であり、該支持部材１１は、所定の間隔を置いて、互いに平行になるように形成され、「へ」字状の形状を有する第１、第２の支持体１２、１３、該第１、第２の支持体１２、１３における一方の下端において一体に形成され、第１、第２の支持体１２、１３を連結する第１の連結部１４、及び前記第１、第２の支持体１２、１３における他方の下端において、第１、第２の支持体１２、１３を連結する第２の連結部１５を備える。前記各第１、第２の支持体１２、１３は、いずれも、頂部で連結され、下方に向けて広がるように、傾斜させて形成された第１、第２の脚部ａｍ１、ａｍ２を備える。
【００１４】
前記各第１、第２の支持体１２、１３には、頂部の中央に揺動軸穴１８が形成され、該揺動軸穴１８を貫通させて配設された軸部材１９を揺動中心にして、揺動部材１６が前記第１、第２の支持体１２、１３間において揺動自在に支持される。本実施の形態において、軸部材１９はボルト及びナットから成るが、両端に抜け防止用の拡径部を備えたシャフトを軸部材として使用することができる。
【００１５】
前記揺動部材１６は、平板状の形状を有し、使用者の頭部を載置するための頭部載置部２１、該頭部載置部２１における第１、第２の支持体１２、１３と対向する面ｓ１、ｓ２の中央部に取り付けられ、上方に向けて立ち上げて配設された第１、第２の揺動腕２３、２４、該各第１、第２の揺動腕２３、２４の下端の近傍の所定の箇所と、前記第２の連結部１５との間に配設された付勢部材としてのスプリング２６、及び各第１、第２の揺動腕２３、２４の長手方向における中央の近傍に取り付けられ、使用者の顎部に当てることによって頭部載置部２１上において頭部の位置を安定させるためのベルト２７を有する。なお、付勢部材としてスプリング２６に代えてゴム材料を使用することができる。
【００１６】
また、前記頭部載置部２１は、本体部２１ａ、及び該本体部２１ａ上に載置されたマット２１ｂを備え、前記本体部２１ａの中央に、頭部を受けるための穴２１ｃが形成される。
【００１７】
前記各第１、第２の揺動腕２３、２４は所定の幅を有する板状体によって形成され、上部の所定の箇所に、頭部載置部２１の高さを調整するための調整部として、第１、第２の揺動腕２３、２４の長さ方向に並べて複数の、本実施の形態においては、４個の穴ｈ１〜ｈ４が形成される。該各穴ｈ１〜ｈ４は、前記第１、第２の揺動腕２３、２４の長さ方向に延びる中心線に対して、第２の脚部ａｍ２側（頭部載置部２１に頭部を載置したときの使用者の肩が位置する側）に偏心させて形成される。本実施の形態においては、調整部として穴ｈ１〜ｈ４が形成されるようになっているが、第１、第２の揺動腕２３、２４の長さ方向に延びる溝を形成し、該溝に沿って軸部材１９を移動させるようにすることができる。なお、前記支持部材１１、揺動部材１６、頭部載置部２１、第１、第２の揺動腕２３、２４、穴ｈ１〜ｈ４等によって頸部トレーニング装置が構成される。
【００１８】
したがって、前記揺動部材１６は、負荷が加わらない状態で、頭部載置部２１における第１の脚部ａｍ１側が低く、第２の脚部ａｍ２側が高くなるように傾斜させた位置に置かれる。
【００１９】
前記構成の頸部トレーニング装置においては、使用者が、背臥位になり、第２の脚部ａｍ２側に肩が位置するように頭部載置部２１に頭部を載置したときに、使用者の耳孔部の位置と軸部材１９の位置とが一致する（耳孔部と軸部材１９とが同一直線上に置かれる。）ように、頭部載置部２１の高さが調整される。そのために、前記穴ｈ１〜ｈ４のうちの所定の穴に軸部材１９が貫通させられる。このようにして、頭部載置部２１の高さが調整されると、顎を前記ベルト２７に当てることによって、頭部載置部２１上で頭部を固定することができる。
【００２０】
続いて、使用者が、所定の周期で繰り返し顎を引くと、使用者の頭部は、耳孔部を揺動中心として揺動させられ、振り子運動が行われる。このときの、頭部の動きが、頸椎における上部、すなわち、上部頸椎による頷き運動と同様の動きになる。
【００２１】
また、前記揺動部材１６は、外力が加わらない状態で、頭部載置部２１における第１の脚部ａｍ１側が低く、第２の脚部ａｍ２側が高くなるように傾斜させた位置に置かれるとともに、スプリング２６によって傾斜させた位置に置かれるように付勢されるので、顎を引く動きに負荷を加えることができる。
【００２２】
この場合、前記振り子運動における頭部の動きは小さいので、頸部を支持する深部筋を確実に強化することができる。
【００２３】
なお、スプリング２６の第１、第２の揺動腕２３、２４への取付位置を変更し、前記スプリング２６の強さを変更することができる。
【００２４】
前記耳孔部の位置と軸部材１９の位置とを一致させる際に、使用者が耳孔部の位置を認識することができるように、軸部材１９を透明な材料で形成したり、軸部材１９を筒状にしたりして耳孔部を透視することができるように形成するのが好ましい。
【００２５】
また、耳孔部の位置を検出するために、第１、第２の揺動腕２３、２４に検出部としての図示されない耳孔センサを配設したり、赤外線等を照射するための図示されない照射装置を配設したりすることができる。
【００２６】
なお、本発明は前記実施の形態に限定されるものではなく、本発明の趣旨に基づいて種々変形させることが可能であり、それらを本発明の範囲から排除するものではない。
【図面の簡単な説明】
【００２７】
【図１】本発明の実施の形態における頸部トレーニング装置の側面図である。
【図２】本発明の実施の形態における頸部トレーニング装置の正面図である。
【図３】本発明の実施の形態における頸部トレーニング装置の第１の斜視図である。
【図４】本発明の実施の形態における頸部トレーニング装置の第２の斜視図である。
【符号の説明】
【００２８】
１１    支持部材
１６    揺動部材
２１    頭部載置部
２３、２４    第１、第２の揺動腕
ｈ１〜ｈ４    穴
【図１】
0004927017.tif 000002
【図２】
0004927017.tif 000003
【図３】
0004927017.tif 000004
【図４】
0004927017.tif 000005